(57)【要約】【課題】組立が簡単で、テレビジョン受像機とこれに接続するＴＶ関連機器や、オーディオ機器等の設置台数に応じてその設置スペースを自由に増設することができ、ビデオデープやＤＶＤの所蔵数が増加すれば、それに応じてその収納スペースを増設することができる組立家具を提供する。【解決手段】多段に積み重ね可能なユニット型の収納ボックス１、１…と、該収納ボックス１を左右方向に並べて載設する基底板２と、該基底板２に載設された収納ボックス１、１…の上に載設される天板３とで構成される。【選択図】　図１
0003097378.tif 000002
【実用新案登録請求の範囲】
【請求項１】
多段に積み重ね可能なユニット型の収納ボックスと、該収納ボックスを左右方向に並べて載設する基底板と、該基底板に載設された収納ボックスの上に載設される天板とで構成されることを特徴とする組立家具。
【請求項２】
前記収納ボックスの上部と下部に、該収納ボックスを積み重ねたときに互いに嵌合する上ジョイント部と下ジョイント部が設けられ、前記基底板に、前記収納ボックスの前記下ジョイントと嵌合するジョイント部が設けられ、前記天板に、前記収納ボックスの前記上ジョイントと嵌合するジョイント部が設けられている請求項１記載の組立家具。
【請求項３】
前記収納ボックスに、電気配線用の貫通孔が形成されている請求項１又は２記載の組立家具。
【請求項４】
前記収納ボックスの少なくとも一つに、電気配線分岐用のタップが内装されている請求項１、２又は３記載の組立家具。
【請求項５】
前記収納ボックスのボックス本体内に、ビデオデッキ等のＴＶ関連機器やステレオチューナ等のオーディオ機器を搭載設置する前後方向に進退自在なスライドテーブルが設けられている請求項１、２、３又は４記載の組立家具。
【請求項６】
前記収納ボックスのボックス本体内が上下二段に形成され、その上段側又は下段側の少なくとも一方に、前後方向に進退自在なスライドテーブルが設けられている請求項１、２、３、４又は５記載の組立家具。
【請求項７】
前記収納ボックスのボックス本体内が上下二段に形成され、その下段側に抽斗が設けられている請求項１、２、３、４又は５記載の組立家具。
【請求項８】
前記収納ボックスのボックス本体内が上下二段に形成され、その上段側に、ビデオデッキ等のＴＶ関連機器やステレオチューナ等のオーディオ機器を搭載設置する前後方向に進退自在なスライドテーブルが設けられ、下段側に、ＤＶＤやビデオテープ、音楽ＣＤ等の収納ラックとなる抽斗が設けられている請求項１、２、３、４又は５記載の組立家具。
【考案の詳細な説明】
【０００１】
【考案の属する技術分野】
本考案は、テレビジョン受像機とこれに接続するビデオデッキ、テレビゲーム機等のＴＶ関連機器や、ステレオチューナ、ステレオアンプ、スピーカ等のオーディオ機器を設置するのに好適な組立家具に関する。
【０００２】
【従来の技術】
テレビジョン受像機の付属商品あるいは別売りのオプション商品として販売さているテレビ専用台は、テレビジョン受像機の大きさに応じた幅と奥行を有する高さ数十センチ程度のキャビネットで成り、該キャビネットは、前面に開き戸式あるいは引き戸式のガラス扉が設けられ、その内部にテレビ番組を録画再生するビデオデッキやビデオテープ等を設置・収納するための棚などが設けられたものが一般的である。
【０００３】
【考案が解決しようとする課題】
しかしながら、個々のテレビジョン受像機のサイズに合わせて作られた既製のテレビ専用台は、テレビジョン受像機以外の機器類等を設置・収納するスペースが限られているため、ＤＶＤ用とＶＨＳ用のビデオデッキ２台を同時に設置することが困難であったり、あるいはビデオデープやＤＶＤの所蔵数が多いと、その全てを収納することができなかったり、それらをジャンル別に区分整理して保管収納することができないなどの不便があった。
【０００４】また、テレビジョン受像機に接続して使用されるＴＶ関連機器は、ビデオデッキ以外にも、ＢＳデジタルチューナや、ＣＳチューナ、ＡＶアンプ、ＤＶＤレコーダー、ＤＶＤプレーヤー、テレビゲーム機など数多く存在するが、既製のテレビ専用台は、それらＴＶ関連機器を増設する余分なスペースが少ないうえに、増設した機器類の電源コードや接続ケーブルを体裁良く容易に配線することができないという不便があった。
【０００５】そこで本考案は、テレビジョン受像機に接続するＴＶ関連機器の台数に応じてその設置スペースを増設することができ、また、ＤＶＤやビデオデープの所蔵数が増加すれば、それに応じてそれらの収納スペースを増設することができると同時に、それらビデオデープやＤＶＤを種類別・ジャンル別に区分整理して保管収納することができ、また、ＴＶ関連機器に限らずオーディオ機器も設置することができる組立家具を提供することを主たる技術的課題とし、更に、テレビジョン受像機やこれに接続するＴＶ関連機器、オーディオ機器等の電気配線を体裁良く容易に行うことができるようにすることも技術的課題としている。
【０００６】
【課題を解決するための手段】
上記課題を解決するために、請求項１の考案に係る組立家具は、多段に積み重ね可能なユニット型の収納ボックスと、該収納ボックスを左右方向に並べて載設する基底板と、該基底板に載設された収納ボックスの上に載設される天板とで構成されることを特徴とする。
【０００７】本考案の組立家具は、これを設置したい場所に基底板を置いて、該基底板の上に収納ボックスを左右方向に複数並べて載設し、その収納ボックスの上に天板を載設するだけで簡単に組み立てられる。
【０００８】そして、例えば、天板の上にテレビジョン受像機を設置し、該受像機に接続するビデオデッキやテレビゲーム機等のＴＶ関連機器を各々収納ボックス内に設置すると共に、ビデオテープ、ＤＶＤ等を各収納ボックスごとに区分整理して収納保管することができる。
【０００９】また、テレビジョン受像機に接続するＴＶ関連機器の台数が増えたときや、ビデオテープ、ＤＶＤ等の所蔵数が増加したとき、あるいは、ステレオチューナ、ステレオアンプ等のオーディオ機器を設置したいときは、収納ボックスの上に載設されている天板を一旦取り除いて、収納ボックスの上に更に収納ボックスを積み重ねて、その上に再び天板を載設するだけで、簡単に収納スペースを増設することができる。
【００１０】また、請求項２の考案の如く、収納ボックスの上部と下部に、該収納ボックスを積み重ねたときに互いに嵌合する上ジョイント部と下ジョイント部が設けられ、基底板に、収納ボックスの下ジョイントと嵌合するジョイント部が設けられ、天板に、収納ボックスの上ジョイントと嵌合するジョイント部が設けられていれば、地震の振動等により天板や収納ボックスが水平方向に擦り動いで組立家具が崩壊したり歪みを生ずるおそれがない。
【００１１】また、請求項３の考案の如く、収納ボックスに電気配線用の貫通穴が形成され、請求項４の考案の如く、収納ボックスの少なくとも一つに電気配線分岐用のタップが内装されていれば、収納ボックス内に設置するＴＶ関連機器やオーディオ機器の電気配線を体裁良く容易に行うことができる。
【００１２】更に、請求項５の考案の如く、収納ボックスのボックス本体内に、ビデオデッキ等のＴＶ関連機器やステレオチューナ等のオーディオ機器を搭載設置する前後方向に進退自在なスライドテーブルが設けられていれば、そのスライドテーブルに搭載設置された機器類をボックス内から引き出して他の機器と接続するための配線作業等を容易に行うことができる。
【００１３】
【考案の実施の形態】
以下、本考案の実施形態を図面によって具体的に説明する。
図１は本考案に係る組立家具の一例を示す分解斜視図、図２及び図３は夫々組立家具を構成する収納ボックスの一例とその使用例を示す斜視図、図４は組立家具の組立例と使用例を示す正面図、図５は本考案に係る組立家具の他の例を示す分解正面図、図６は収納ボックスの他の例を示す斜視図である。
【００１４】本考案に係る組立家具は、多段に積み重ね可能なユニット型の収納ボックス１と、該収納ボックス１を左右方向に並べて載設する基底板２と、該基底板２に載設された収納ボックス１、１…の上に載設される天板３とで構成されるので、これを設置したい場所に基底板２を置いて、該基底板２の上に収納ボックス１を左右方向に複数並べて載設し、それら収納ボックス１、１…の上に天板を載設するだけで簡単に組み立てることができる。
【００１５】また、基底板２と天板３の奥行は、夫々収納ボックス１の奥行と略同一の長さに選定され、その横幅は、収納ボックス１の横幅の倍数に相当する長さに選定されて、図４の如く組立てたときに全体がスッキリとした外観を呈するようになっている。なお、基底板２には、これを床面等から浮かして設置するための脚部４もしくはキャスター（図示せず）が設けられている。
【００１６】収納ボックス１は、例えば図２の如く、ボックス本体５内にビデオデッキ６等のＴＶ関連機器やオーディオ機器を搭載設置する前後方向に進退自在なスライドテーブル７が設けられたものや、図３の如く、ビデオデッキ６で録画再生するＤＶＤ８、８…やビデオテープ、あるいはオーディオ機器で再生する音楽ＣＤ等の収納ラックとなる抽斗９が設けられたもの、あるいは前面を開放したボックス本体５のみで構成されたものなどがある。
【００１７】これら収納ボックス１、１…を用いて組立てた図４の組立家具は、基底板２の上に、抽斗９を設けた収納ボックス１が左右方向に並べて載設されると共に、それら抽斗付き収納ボックス１、１…の上に、ボックス本体５内にスライドテーブル７を設けた収納ボックス１や、ボックス本体５のみで成る収納ボックス１が積み重ねられ、更にその上に、テレビジョン受像機１０やオーディオ装置のスピーカ１１Ｒ、１１Ｌ等を設置する天板３が載設されている。
【００１８】そして、上段の収納ボックス１は、ボックス本体５内のスライドテーブル７にビデオデッキ６が搭載設置されたり、ボックス本体５内にステレオチューナ１２やステレオアンプ１３が設置されている。また、下段の抽斗付き収納ボックス１は、その抽斗９内にＤＶＤやビデオテープ、音楽ＣＤ等が収納されている。なお、スピーカ１１Ｒ、１１Ｌが小型のものであれば、これを各々ボックス本体５の前面が開放された収納ボックス１内に設置することもできる。
【００１９】また、ビデオデッキ６等のＴＶ関連機器やステレオチューナ１２、ステレオアンプ１３等のオーディオ機器を設置する収納ボックス１は、それら機器類の電源コードや接続ケーブル等の電気配線を体裁良く容易に行えるようにするため、そのボックス本体５に電気配線用の貫通孔１４が形成されている。
【００２０】更に、収納ボックス１の少なくとも一つに、電気配線分岐用のタップ１５が内装され、該タップ１５によって、テレビジョン受像機１０とビデオデッキ６等のＴＶ関連機器、ステレオチューナ１２、ステレオアンプ１３等のオーディオ機器のすべてに電源を供給することができるようになっている。
【００２１】また、地震の振動等により天板３や収納ボックス１、１…が水平方向に擦り動いで組立家具が崩壊したり歪みを生ずるおそれがないように、図５の如く、各収納ボックス１の上部と下部に、該収納ボックス１を積み重ねたときに互いに嵌合する上ジョイント部１６と下ジョイント部１７が設けられると共に、基底板２には、収納ボックス１の下ジョイント部１７と嵌合するジョイント部１８が設けられ、天板３には、収納ボックス１の上ジョイント部１６と嵌合するジョイント部１９が設けられている。
【００２２】なお、ジョイント接合を迅速且つ容易に行うことができるように、収納ボックス１の下ジョイント部１７は、該収納ボックス１の下面に突設された円柱形の突起で成り、これと嵌合する基底板２のジョイント部１８は、円形の孔で形成されている。また、収納ボックス１の上ジョイント部１６は、該収納ボックス１の上面に穿設された円形の孔で成り、これと嵌合する天板３のジョイント部１９は、該天板３の下面に突設された円柱形の突起で形成されている。
【００２３】しかして、組立家具を組み立てるときは、まず、基底板２を所望の場所に設置し、そのジョイント部１８に収納ボックス１の下ジョイント部１７を嵌合させて基底板２の上に下段側の収納ボックス１、１…を載設する。次いで、それら収納ボックス１、１…の上ジョイント部１６に上段側の収納ボックス１、１…の下ジョイント部１７を嵌合させて上下二段に積み重ねる。そして、上段側の収納ボックス１、１…の上ジョイント部１６に天板３のジョイント部１９を嵌合させて該天板３を上段側の収納ボックス１、１…の上に載設する。
【００２４】これにより、本例の組立家具は、支柱がなくても、水平方向の応力を受けて歪みを生じたり崩壊するおそれがなく、また、支柱がないので、簡単且つ迅速に組立てることができる。
【００２５】また、本考案の収納ボックスは、図４に示すスライドテーブル付き収納ボックス１と抽斗付き収納ボックス１とを合体させるように一体化した図６の如き収納ボックス２１であってもよく、該収納ボックス２１は、図４の収納ボックス１の２個分に相当する高さを有するボックス本体２２内が上下二段に形成されて、その上段側に、ビデオデッキ６等のＴＶ関連機器やステレオチューナ等のオーディオ機器を搭載設置する前後方向に進退自在なスライドテーブル７が設けられ、下段側に、ＤＶＤ８やビデオテープ、音楽ＣＤ等の収納ラックとなる抽斗９が設けられている。
【００２６】このように構成された収納ボックス２１は、ボックス本体２２の上段のスライドテーブル７にＤＶＤビデオデッキを設置し、そのビデオデッキで録画再生するＤＶＤを下段の抽斗９に収納したり、また、上段のスライドテーブル７にＶＨＳビデオデッキを設置し、そのビデオデッキで録画再生するＶＨＳビデオテープを下段の抽斗９に収納したり、あるいは、上段のスライドテーブル７にＣＤデッキを設置し、そのＣＤデッキで再生する音楽ＣＤを下段の抽斗９に収納することができるので大変便利である。また、床面に近い下段側に抽斗を設ければ、その下段側にゴミや埃が侵入することがない。
【００２７】なお、スライドテーブル７は、収納ボックス２１の上段側に限らず下段側に設けてもよい。また、収納ボックス２１の上段側又は下段側の少なくとも一方にスライドテーブル７を設け、他方は抽斗等を設けず、前面を開放するのみのものであってもよい。
【００２８】
【考案の効果】
本考案の組立家具は、その組立が簡単であるのみならず、テレビジョン受像機に接続するビデオデッキ等のＴＶ関連機器や、オーディオ機器等の設置台数に応じてその設置スペースを自由に増設することができ、また、ビデオデッキ等で録画再生するビデオデープやＤＶＤの所蔵数が増加すれば、それに応じてその収納スペースを増設することができると同時に、それらビデオデープやＤＶＤを種類別・ジャンル別に区分整理して保管収納することができるという大変優れた効果がある。
【図面の簡単な説明】
【図１】本考案に係る組立家具の一例を示す分解斜視図
【図２】本考案に係る組立家具を構成する収納ボックスの一例とその使用例を示す斜視図
【図３】本考案に係る組立家具を構成する収納ボックスの一例とその使用例を示す斜視図
【図４】本考案に係る組立家具の組立例と使用例を示す正面図
【図５】本考案に係る組立家具の他の例を示す分解正面図
【図６】本考案に係る組立家具を構成する収納ボックスの他の例を示す斜視図
【符号の説明】
１………………収納ボックス
２………………基底板
３………………天板
５………………収納ボックスのボックス本体
７………………スライドテーブル
９………………抽斗
１４………………電気配線用の貫通孔
１５………………電気配線分岐用のタップ
１６………………収納ボックスの上ジョイント部
１７………………収納ボックスの下ジョイント部
１８………………基底板のジョイント部
１９………………天板のジョイント部
２１………………収納ボックス
２２………………ボックス本体
【図１】
0003097378.tif 000003
【図２】
0003097378.tif 000004
【図３】
0003097378.tif 000005
【図４】
0003097378.tif 000006
【図５】
0003097378.tif 000007
【図６】
0003097378.tif 000008